(57)【要約】      （修正有）【課題】装飾効果が高く、円滑に結ぶことができる、リボンを提供する。【解決手段】リボン１０は、第１の部分１４と、該第１の部分に熱溶着された第２の部分１６と、前記第１の部分と前記第２の部分とを結合した熱溶着部１８とを有する帯状の合成繊維布１２から成る。第１の部分及び第２の部分は、同じ材質で造るとき、装飾効果を高めるために、異なる色で造り、異なる材質で造るとき、異なる色で造るだけでなく、材質が異なるとつや、織り目、風合い等が異なるため、同じ色で造ることができる。【選択図】図１
0003153969.tif 000002
【実用新案登録請求の範囲】
【請求項１】
帯状の布であって、該布を形成する第１の部分と、該第１の部分に熱溶着された第２の部分とを含み、前記第１の部分と前記第２の部分とは色が異なる、包装及び装飾用のリボン。
【請求項２】
前記第１の部分及び前記第２の部分は異なる材質の合成繊維布で形成されている、請求項１に記載のリボン。
【請求項３】
前記第１の部分及び前記第２の部分は同じ材質の合成繊維布で形成されている、請求項１に記載のリボン。
【請求項４】
帯状の布であって、該布を形成する第１の部分と、該第１の部分に熱溶着された第２の部分とを含み、前記第１の部分と前記第２の部分とは異なる材質の合成繊維布で形成されている、リボン。
【請求項５】
前記帯状の布は、平行に重ね合わせた２枚の帯状の合成繊維布の溶断により２組に分けられた前記合成繊維布を各溶断部で溶着させた合成繊維布の１組を非重ね合わせ状態に開いてなり、開かれた前記合成繊維布の一方からなる前記第１の部分と、開かれた前記合成繊維布の他方からなる前記第２の部分とを含む、請求項１ないし４のいずれかに記載のリボン。
【請求項６】
前記帯状の布は、該布の幅方向に溶着部を有する、請求項１ないし５のいずれか１項に記載のリボン。
【請求項７】
前記帯状の布は、該布の長手方向に溶着部を有する、請求項１ないし６のいずれか１項に記載のリボン。
【考案の詳細な説明】
【技術分野】
【０００１】
本考案は、リボンに関し、特に商品の包装、陳列品の飾り付け等に用いられるリボンに関する。
【背景技術】
【０００２】
従来、商品の包装や陳列品の飾り付けに用いられるリボンは、商品を引き立たせ、あるいは人々が商品に関心を持つように人々の目を引きつける役割をもつ。このため、この種のリボンは、色彩ばかりでなく、表面に絵、柄等を印刷し、表面に複数の色で模様を付する等により装飾効果を高めている。
【０００３】
リボンを色が異なる複数の部分で造ることにより、該リボンは、花やかなリボンとなり人々の関心を引きやすくなる。従来、色が異なる複数の部分を有するリボンは、異なる色で染められた複数の糸を整経させて織ることにより、単色の糸で織られたリボンの表裏の両面に異なる色のプリント又は塗料を付着させた紙を接触させて転写することにより、又は色が異なる２本のリボンを直列に並べ、隣接端部を重ね合わせて接着することにより造られている。
【０００４】
従来の、異なる色で染められた糸を整経させて織られたリボンは、装飾性に富む模様を備えるが、そのためには、異なる色で染められた糸を整経させて織らなければならないため、生産ロットも大きく、高コストの製品となる。
【０００５】
これに対し、転写により色が異なる部分を有するリボンは、単色の糸で織られたリボンに所望の色の塗料を付着させたものであるため、低コスト製品とすることができる。しかし、前記リボンの表裏の両面に色の塗料を付着させるため、該リボンは転写による色合いとなる。このため、転写により着色したリボンは、異なる色で染められた糸で織られたリボンに比べて、色の深みがなく、見劣りする。
【０００６】
色が異なる２本のリボンを接着剤で接着して得たリボンは、転写により着色したリボンに比べて色の深みがある。しかし、前記接着により得たリボンは、色が異なる２本のリボンを直列に並べ、端部を重ね合わせて接着するため、重ね合わせた部分の見栄えが悪いだけでなく、接着剤の硬化により重ね合わせた部分が固くなり柔軟性に劣るため、リボンを円滑に結ぶことができない。
【０００７】
また、１本のリボンは、異なる材質の糸で織られた２本のリボンをそれらの端部で接着することにより、材質及び織組織が異なる部分を持つように造ることができる。この場合、リボンの一の部分と他の部分とは色が同じであっても、つや、織り目、風合い等が異なるため、装飾効果が高まり、人々の関心を引きやすくなる。しかし、リボンの端部を重ね合わせた部分は、接着により見栄えが悪いだけでなく、柔軟性にも劣るためリボンを円滑に結ぶことができない。
【考案の概要】
【考案が解決しようとする課題】
【０００８】
本考案の目的は、装飾効果が高く、円滑に結ぶことができる、色が異なる複数の部分から成るリボンを提供することにある。
【０００９】
本考案の他の目的は、装飾効果が高く、円滑に結ぶことができる、材質が異なる複数の部分から成るリボンを提供することにある。
【課題を解決するための手段】
【００１０】
本考案に係るリボンは、帯状の布であって、該布を形成する第１の部分と、該第１の部分に熱溶着された第２の部分とを含み、前記第１の部分と前記第２の部分とは色が異なる。前記第１の部分及び前記第２の部分は、合成繊維布から造ることもできる。
【００１１】
また、本考案に係るリボンは、帯状の布であって、該布を形成する第１の部分と、該第１の部分に熱溶着された第２の部分とを含み、前記第１の部分と前記第２の部分とは異なる材質の合成繊維布から成る。
【００１２】
前記帯状の布は、平行に重ね合わせた２枚の帯状の合成繊維布の溶断により２組に分けられた前記合成繊維布を各溶断部で溶着させた合成繊維布の１組を非重ね合わせ状態に開いて成り、開かれた前記合成繊維布の一方から成る前記第１の部分と、開かれた前記合成繊維布の他方から成る前記第２の部分とを備えることができる。
【００１３】
前記帯状の布は、該布の幅方向又は該布の長手方向に溶着部を有することができる。
【考案の効果】
【００１４】
本考案によれば、第１の部分と該第１の部分に熱溶着された第２の部分とから成るリボンは、異なる色の糸で織られた２つの部分を有するため、転写により着色したリボンに比較して色合いがよいものとなる。
【００１５】
また、本考案に係るリボンは、第１の部分及び第２の部分を熱溶着して成るため、接着により得たリボンと異なり、リボンに接着のために重ね合わせた部分がないため、見栄えが良く、また柔軟性も損なわれないためリボンを結びやすい。
【００１６】
さらに、前記第１の部分及び前記第２の部分を異なる材質の合成繊維で造ることにより、つや、織り目、風合い等が異なるため、装飾効果を高めることができる。
【図面の簡単な説明】
【００１７】
【図１】本考案に係るリボンの第１の実施例の斜視図。
【図２】第1の実施例に係るリボンの製造過程を示す斜視図。
【図３】第1の実施例に係るリボンのその後の製造過程を示す斜視図。
【図４】本考案に係るリボンの第２の実施例の斜視図。
【図５】本考案に係るリボンの第３の実施例の斜視図。
【考案を実施するための形態】
【００１８】
以下、本考案の実施の形態について、詳細に説明する。
【実施例１】
【００１９】
図１を参照するに、本考案に係るリボンが全体に符号１０で示されている。リボン１０は、第１の部分１４と、該第１の部分に熱溶着された第２の部分１６と、前記第１の部分と前記第２の部分とを結合した熱溶着部１８とを有する帯状の合成繊維布１２から成る。
【００２０】
第１の部分１４及び第２の部分１６は、ナイロン繊維、ポリエステル繊維、アクリル繊維等の合成繊維製の織布又は不織布から成る。
【００２１】
第１の部分１４及び第２の部分１６は、同じ材質で造るとき、装飾効果を高めるために、異なる色で造り、異なる材質で造るとき、異なる色で造るだけでなく、材質が異なるとつや、織り目、風合い等が異なるため、同じ色で造ることができる。
【００２２】
リボン１０は、連続した帯状の布に造られるため、見栄えがよく、該リボンを結びやすい。これに対して、２本のリボンを直列に並べて、端部を重ね合わせて接着により得たリボンは、重ね合わせた部分の見栄えが悪く、また、重ね合わせた部分が接着剤の硬化により固くなり柔軟性を損なうため、前記リボンを結びにくい。
【００２３】
リボン１０は、物品を包装するとき、まず該物品に前記リボンを巻き、次に、前記リボンにより結び目を造る。また、前記リボンにより予め結びを造り、次に、前記結びを前記物品に取り付けてもよい。前記物品は、贈答品やその他の商品を包装する箱や袋である。
【００２４】
リボン１０は、陳列ケースやショーウインドウの中に置かれた陳列品を装飾するとき、蝶結びや立体的な形状に結ぶことにより得た前記リボンの結びを陳列品の周りに配置することができる。また、前記リボンは、該リボンで装飾した箱や花束を陳列品の周りに配置すること、あるいは、陳列品が人々に見える状態で陳列品を前記リボンで飾り付けることができる。これにより、前記リボンは、陳列品を引き立たせ、あるいは、人々の目を引きつけることができる。
【００２５】
リボン１０は、次のようにして製造することができる。
【００２６】
まず、図２に示すように、２本の適当な長さの合成繊維布２０、３０を準備する。次に、合成繊維布２０を合成繊維布３０に平行に重ね合わせる。重ね合わせた状態において合成繊維布の上方または下方（図３の合成繊維布２０の側を上方、合成繊維布３０の側を下方とする。）からレーザー光線を合成繊維布２０、３０の幅方向に照射する。このため、合成繊維布２０、３０のレーザー光線を照射された部分は、局所的に加熱される。これにより、合成繊維布２０、３０には、該合成繊維布の幅方向に溶断部４０が造られる。
【００２７】
図３に示すように、合成繊維布２０、３０は、溶断部４０に照射されたレーザー光線により溶断され、合成繊維布２０は合成繊維布２４、２６に、合成繊維布３０は合成繊維布３４、３６にそれぞれ分けられる。合成繊維布２４、３４は、合成繊維布２０、３０を溶断したときに発生した熱により溶着部４２で溶着され、合成繊維布２２を造る。また、合成繊維布２６、３６は、合成繊維布２０、３０を溶断したときに発生した熱により溶着部４４で溶着され、合成繊維布３２を造る。
【００２８】
合成繊維布２２は、合成繊維布２４、３４を重ね合わせた状態から非重ね合わせた状態に開き、アイロンにより合成繊維の溶融温度と比べて低い温度で熱を合成繊維布２２に加えて平らに延ばす。これにより、合成繊維布２２は、合成繊維布２４から成る第１の部分と、合成繊維布３４から成る第２の部分とを有することができる。同様に合成繊維布３２は、合成繊維布２６から成る第１の部分と、合成繊維布３６から成る第２の部分とを有することができる。
【００２９】
上記の方法により、２本のリボン１０を得ることができる。
【００３０】
前記合成繊維布を溶断する方法は、レーザー光線に限らず、例えば加熱した金属の刃で前記合成繊維布を溶断し、溶断部で重ね合わせた前記合成繊維布を溶着させるための熱を供給することができる。
【実施例２】
【００３１】
図４を参照するに、本考案に係るリボンの第２の実施例が全体に符号５０で示されている。帯状のリボン５０は、該リボンの長手方向に延びる第１の部分５２と、該第１の部分に熱溶着された第２の部分５４とを有し、前記第１の部分と前記第２の部分とは、熱溶着部５６で溶着されている。
【００３２】
リボン５０は、リボン１０の幅方向に行われる溶断と、該溶断後の各溶断部で行われる重ね合わせた合成繊維布の溶着とをリボン１０の長手方向に変更することにより得ることができる。
【実施例３】
【００３３】
図５を参照するに、本考案に係るリボンの第３の実施例が全体に符号６０で示されている。帯状のリボン６０は、第１の部分６２、第２の部分６４、第３の部分６６及び第４の部分６８を有し、各部分と隣接した部分とは溶着部７０、７２で溶着されている。
【００３４】
リボン６０は、２本のリボン１０を平行に重ね合わせ、リボン１０の長手方向に溶断し、該溶断された２組の合成繊維布のそれぞれにおいて、重ね合わせたリボン１０を溶着させることにより得ることができる。また、リボン６０は、２本のリボン５０を重ね合わせ、リボン５０の幅方向に溶断し、該溶断された２組の合成繊維布のそれぞれにおいて、重ね合わせたリボン５０を溶着させることにより得ることもできる。
【符号の説明】
【００３５】
１０、５０、６０  リボン
１２、２０、３０    帯状の合成繊維布
１４、２４、２６、５２、６２    第１の部分
１６、３４、３６、５４、６４    第２の部分
１８、４２、４４、５６、７０、７２    溶着部
【図１】
0003153969.tif 000003
【図２】
0003153969.tif 000004
【図３】
0003153969.tif 000005
【図４】
0003153969.tif 000006
【図５】
0003153969.tif 000007